(57)【特許請求の範囲】
【請求項１】
接眼レンズと、対物レンズとを備え、前記対物レンズによって形成された物体の中間像を、前記接眼レンズによって観察する観察装置において、
前記接眼レンズと前記対物レンズとを結ぶ光路上、または前記光路から分岐された光路上に設けられ、画像を表示する表示部と、
前記接眼レンズと前記対物レンズとを結ぶ光路上に出し入れ可能な光学部材を備え、前記光学部材が前記光路上から退避した状態においては前記接眼レンズからの光を前記対物レンズに導き、前記光学部材が前記光路上に挿入された状態においては前記表示部に表示された前記画像を前記対物レンズに導く光路切換部と
を備えたことを特徴とする観察装置。
【請求項２】
接眼レンズと、対物レンズとを備え、前記対物レンズによって形成された物体の中間像を、前記接眼レンズによって観察する観察装置において、
前記接眼レンズと前記対物レンズとを結ぶ光路上、または前記光路から分岐された光路上に設けられ、画像を表示する表示部と、
前記接眼レンズと前記対物レンズとを結ぶ光路上に設けられ、前記接眼レンズからの光を前記対物レンズに導くとともに、前記表示部に表示された前記画像を前記対物レンズに導く光路分割部と
を備えたことを特徴とする観察装置。
【請求項３】
請求項１または請求項２に記載の観察装置を２つ有する双眼鏡であって、
前記接眼レンズと前記対物レンズと前記光路切換部または前記光路分割部とを左右それぞれに備える
ことを特徴とする双眼鏡。
【請求項４】
請求項１または請求項２に記載の観察装置において、
前記光路切換部または前記光路分割部と前記表示部との間に表示レンズをさらに備える
ことを特徴とする観察装置。
【請求項５】
請求項１または請求項２に記載の観察装置において、
前記対物レンズの全部または一部は、前記接眼レンズと前記対物レンズとを結ぶ光路に沿った方向に移動可能である
ことを特徴とする観察装置。
【請求項６】
請求項１または請求項２に記載の観察装置において、
前記対物レンズと前記表示部とを結ぶ光路上に設けられ、前記対物レンズ側から観察者により観察される中間像の位置を、前記観察者の眼の光軸方向と輻輳方向との少なくとも一方に変更する位置変更部と、
前記表示部と、前記光路切換部または前記光路分割部と、前記位置変更部とを制御する制御部とをさらに備える
ことを特徴とする観察装置。
【請求項７】
請求項６に記載の観察装置において、
前記接眼レンズと前記対物レンズとを結ぶ光路上に、その光路に沿った方向に移動可能な兼用レンズをさらに備え、
前記位置変更部は、前記兼用レンズを含み、
前記制御部は、前記兼用レンズの位置を移動させることにより、前記観察装置の焦点調節と、前記対物レンズ側から前記観察者により観察される中間像の位置の前記観察者の眼の光軸方向への変更とを行う
ことを特徴とする観察装置。
【請求項８】
請求項７に記載の観察装置において、
前記兼用レンズの位置を検出する検出部を備え、
前記焦点調節を行った際および前記中間像の位置の変更を行った際に前記検出部により検出された前記兼用レンズの位置を記憶する記憶部と、
前記記憶部に記憶された前記兼用レンズの位置を読み出す指示を受け付ける受付部とを備え、
前記受付部により前記指示を受け付けると、前記制御部は、前記記憶部から前記兼用レンズの位置を読み出し、読み出した位置に前記兼用レンズを移動させる
ことを特徴とする観察装置。
【請求項９】
請求項１または請求項２に記載の観察装置において、
前記対物レンズの近傍に目当て部材を備える
ことを特徴とする観察装置。
【請求項１０】
請求項１または請求項２に記載の観察装置において、
前記接眼レンズの全部または一部は、前記接眼レンズと前記対物レンズとを結ぶ光路に沿った方向に移動可能である
ことを特徴とする観察装置。
【請求項１１】
請求項３に記載の双眼鏡において、
２つの前記接眼レンズの間隔は調整可能である
ことを特徴とする双眼鏡。
【発明の詳細な説明】
【技術分野】
【０００１】
本発明は、表示機能を備えた観察装置および双眼鏡に関するものである。
【背景技術】
【０００２】
従来より、対物レンズによって形成された物体の中間像を、接眼レンズによって観察する望遠鏡などの観察装置が知られている（例えば、特許文献１参照）。また、液晶技術などを用いた小型の表示装置が知られている。
【特許文献１】特許第３０７０４２９号公報
【発明の開示】
【発明が解決しようとする課題】
【０００３】
前述した小型の表示装置を前述した観察装置に搭載して、情報の表示を行うことを考えた場合、装置が大型化するという問題がある。望遠鏡などの観察装置は、屋外などで使用する場合も多く、表示装置を搭載する場合には、携帯性を考えると小型化が望まれる。
本発明は、表示機能を備えた小型の観察装置および双眼鏡を提供することを目的とする。
【課題を解決するための手段】
【０００４】
本発明の観察装置は、接眼レンズと、対物レンズとを備え、前記対物レンズによって形成された物体の中間像を、前記接眼レンズによって観察する観察装置において、前記接眼レンズと前記対物レンズとを結ぶ光路上、または前記光路から分岐された光路上に設けられ、画像を表示する表示部と、前記接眼レンズと前記対物レンズとを結ぶ光路上に出し入れ可能な光学部材を備え、前記光学部材が前記光路上から退避した状態においては前記接眼レンズからの光を前記対物レンズに導き、前記光学部材が前記光路上に挿入された状態においては前記表示部に表示された前記画像を前記対物レンズに導く光路切換部とを備えたことを特徴とする。
【０００５】
本発明の別の観察装置は、接眼レンズと、対物レンズとを備え、前記対物レンズによって形成された物体の中間像を、前記接眼レンズによって観察する観察装置において、前記接眼レンズと前記対物レンズとを結ぶ光路上、または前記光路から分岐された光路上に設けられ、画像を表示する表示部と、前記接眼レンズと前記対物レンズとを結ぶ光路上に設けられ、前記接眼レンズからの光を前記対物レンズに導くとともに、前記表示部に表示された前記画像を前記対物レンズに導く光路分割部とを備えたことを特徴とする。
【０００９】
本発明の双眼鏡は、上述した観察装置の何れかを２つ有する双眼鏡であって、前記接眼レンズと前記対物レンズと前記光路切換部または前記光路分割部とを左右それぞれに備えることを特徴とする。
【００１０】
なお、前記光路切換部または前記光路分割部と前記表示部との間に表示レンズをさらに備えても良い。
【００１１】
また、前記対物レンズの全部または一部は、前記接眼レンズと前記対物レンズとを結ぶ光路に沿った方向に移動可能であっても良い。
また、前記対物レンズと前記表示部とを結ぶ光路上に設けられ、前記対物レンズ側から観察者により観察される中間像の位置を、前記観察者の眼の光軸方向と輻輳方向との少なくとも一方に変更する位置変更部と、前記表示部と、前記光路切換部または前記光路分割部と、前記位置変更部とを制御する制御部とをさらに備えても良い。
【００１３】
また、前記接眼レンズと前記対物レンズとを結ぶ光路上に、その光路に沿った方向に移動可能な兼用レンズをさらに備え、前記位置変更部は、前記兼用レンズを含み、前記制御部は、前記兼用レンズの位置を移動させることにより、前記観察装置の焦点調節と、前記対物レンズ側から前記観察者により観察される中間像の位置の前記観察者の眼の光軸方向への変更とを行っても良い。
【００１５】
また、前記兼用レンズの位置を検出する検出部を備え、前記焦点調節を行った際および前記中間像の位置の変更を行った際に前記検出部により検出された前記兼用レンズの位置を記憶する記憶部と、前記記憶部に記憶された前記兼用レンズの位置を読み出す指示を受け付ける受付部とを備え、前記受付部により前記指示を受け付けると、前記制御部は、前記記憶部から前記兼用レンズの位置を読み出し、読み出した位置に前記兼用レンズを移動させても良い。
【００１６】
また、前記対物レンズの近傍に目当て部材を備えても良い。
また、前記接眼レンズの全部または一部は、前記接眼レンズと前記対物レンズとを結ぶ光路に沿った方向に移動可能であっても良い。
【００１７】
また、上述した双眼鏡において、２つの前記接眼レンズの間隔は調整可能であっても良い。
【発明の効果】
【００２１】
本発明によれば、表示機能を備えた小型の観察装置および双眼鏡を提供することができる。
【図面の簡単な説明】
【００２２】
【図１】本発明の観察装置の原理を説明する原理図である。
【図２】第１実施形態の観察装置１０の構成を示す図である。
【図３】ポロタイプのプリズムを示す図である。
【図４】第２実施形態の観察装置２０の構成を示す図である。
【図５】第３実施形態の観察装置３０の構成を示す図である。
【図６】第４実施形態の観察装置４０の構成を示す図である。
【図７】第５実施形態の双眼鏡１０１の上面外観図である。
【図８】第５実施形態の双眼鏡１０１の内部構成図である。
【図９】第５実施形態の双眼鏡１０１の内部断面図である。
【図１０】第５実施形態の双眼鏡１０１の制御ブロック図である。
【図１１】目当て部材１９０について説明する図である。
【図１２】鼻逃げ凹み部材１９１について説明する図である。
【図１３】第５実施形態の双眼鏡１０１の別の内部断面図である。
【図１４】第６実施形態の双眼鏡１５０の内部構成図である。
【図１５】第７実施形態の双眼鏡１６０の内部構成図である。
【図１６】第８実施形態の双眼鏡２０１の内部構成図である。
【図１７】第８実施形態の双眼鏡２０１の内部断面図である。
【図１８】第９実施形態の双眼鏡２５０の内部構成図である。
【図１９】第１０実施形態の双眼鏡２６０の内部構成図である。
【発明を実施するための最良の形態】
【００２３】
以下、本発明の実施形態について説明する。はじめに、目的に応じて接眼レンズ側か対物レンズ側の何れかから観察を行う実施形態について説明し、次に、常に接眼レンズ側から観察を行う実施形態について説明する。なお、第１実施形態から第７実施形態は、目的に応じて接眼レンズ側か対物レンズ側の何れかから観察を行う実施形態であり、第８実施形態以降は、常に接眼レンズ側から観察を行う実施形態である。【００２４】
まず、図１に示す原理図を用いて、本発明の観察装置の原理について説明する。本発明の観察装置１は、図１に示すように、接眼レンズ２と、対物レンズ３と、接眼レンズ２と対物レンズ３とを結ぶ光路から分岐された光路上に設けられた表示部４と、接眼レンズ２と対物レンズ３とを結ぶ光路上で、かつ、対物レンズ３と物体の中間像Ｉが形成される位置との間に設けられた光路切換部５とを備える。なお、表示部４は、物体の中間像Ｉが形成される位置と略共役な位置に配置される。【００２５】
光路切換部５は、対物レンズ３と接眼レンズ２との間に光束を導くか、表示部４と対物レンズ３との間に光束を導くかを切り換える光学部材（例えば、全反射ミラー）であり、不図示の駆動部により駆動される。
光路切換部５により、接眼レンズ２と対物レンズ３との間に光束が導かれる場合、観察者は、対物レンズ３によって形成された物体の中間像Ｉを、接眼レンズ２を介して観察することができる。一方、光路切換部５により、表示部４と対物レンズ３との間に光束が導かれる場合、観察者は、表示部４に表示された画像を、対物レンズ３を介して観察することができる。【００２６】
なお、光路切換部５を光路分割部に置き換えた構成にしても良い。すなわち、対物レンズ３と接眼レンズ２との間に光束を導くとともに、表示部４と対物レンズ３との間に光束を導く光学部材（例えば、ハーフミラー）から成る光路分割部を光路切換部５の代わりに備える。
観察者は、接眼レンズ２側から観察を行う場合には、対物レンズと接眼レンズとの間に導かれた光束を利用して物体の中間像Ｉを観察し、対物レンズ３側から観察を行う場合には、表示部４と対物レンズ３との間に導かれた光束を利用して表示部４を観察することができる。【００２７】
以上説明した原理に基づく実施形態を、図面を用いて説明する。
《第１実施形態》
第１実施形態の観察装置１０は、図２に示すように、接眼レンズ１２と、対物レンズ１３と、接眼レンズ１２と対物レンズ１３とを結ぶ光路から分岐された光路上に設けられた表示部１４と、接眼レンズ１２と対物レンズ１３とを結ぶ光路上で、かつ、対物レンズ１３と物体の中間像Ｉが形成される位置との間に設けられた光路切換部１５と、接眼レンズ１２と対物レンズ１３とを結ぶ光路上に設けられた正立光学系１６と、ミラー１７とを備える。【００２８】
対物レンズ１３は、接眼レンズ１２と対物レンズ１３とを結ぶ光路に沿った方向に移動可能である。表示部１４は、小型液晶などの表示器である。光路切換部１５は、全反射ミラーであり、不図示の駆動部により、接眼レンズ１２と対物レンズ１３とを結ぶ光路上に出し入れ可能な構成である。正立光学系１６は、例えば、図３に示すようなポロタイプのプリズム１６Ａ，１６Ｂを含み、対物レンズ１３によって形成された像を適切に反転して接眼レンズ１２に導く。前述した光路切換部１５は、このプリズム１６Ａ，１６Ｂと対物レンズ１３との間に設けられる。ミラー１７は、表示部１４からの光束を光路切換部１５に導き、ミラー１７を介した表示部１４の位置は、物体の中間像Ｉが形成される位置と略共役な位置である。【００３０】
以上説明した構成の観察装置１０において、観察者は、不図示の操作部を介して、光路切換部１５に指示を出す。
対物レンズ１３によって形成された物体の中間像Ｉを、接眼レンズ１２を介して観察する観察装置として観察装置１０を使用したい場合、観察者は、光路切換部１５により、接眼レンズ１２と対物レンズ１３との間に光束を導く。このとき、対物レンズ１３を、接眼レンズ１２と対物レンズ１３とを結ぶ光路に沿った方向に移動することにより、観察対象の物体に対する焦点調節を行う。【００３１】
一方、表示部１４に表示された画像を、対物レンズ１３を介して観察する表示装置として観察装置１０を使用したい場合、観察者は、光路切換部１５により、表示部１４と対物レンズ１３との間に光束を導く。このとき、対物レンズ１３を、接眼レンズ１２と対物レンズ１３とを結ぶ光路に沿った方向に移動することにより、表示部１４に対する焦点調節を行う。【００３２】
以上説明したように、第１実施形態によれば、接眼レンズと、対物レンズと、表示部とを備え、対物レンズによって形成された物体の中間像を、接眼レンズによって観察する観察装置において、対物レンズと接眼レンズとの間に光束を導くか、表示部と対物レンズとの間に光束を導くかを切り換える。そのため、対物レンズと接眼レンズとの間に光束を導く場合には、観察装置として使用し、表示部と対物レンズとの間に光束を導く場合には、対物レンズを介して表示部を観察することにより表示装置として使用することができる。特に、第１実施形態によれば、観察装置が備える構造を応用して、表示機能を備えることができるので、表示機能を備えた小型の観察装置を実現可能である。【００３３】
また、第１実施形態によれば、接眼レンズと対物レンズとを結ぶ光路上に正立光学系をさらに備える。そのため、観察装置として使用する際に、対物レンズによって形成された像を適切に反転して接眼レンズに導くことができる。
また、第１実施形態によれば、前述した正立光学系にプリズムを含む。そのため、さらなる小型化が実現できる。【００３４】
また、第１実施形態によれば、光路切換部は、プリズムと対物レンズとの間に設けられる。そのため、空間を有効に利用して小型化を実現できる。
また、第１実施形態によれば、対物レンズは、接眼レンズと対物レンズとを結ぶ光路に沿った方向に移動可能である。そのため、対物レンズを移動することにより、観察装置として使用する場合の観察対象の物体に対する焦点調節と、表示装置として使用する場合の表示部に対する焦点調節とを行うことができる。【００３５】
なお、第１実施形態では、正立光学系１６が含むプリズムとして、図３に示すようなポロタイプのプリズム１６Ａ，１６Ｂを例に挙げて説明を行ったが、他のプリズム（例えば、ダハタイプのプリズムなど）を使用するようにしても良い。また、プリズムを用いずに、レンズなどを使用して正立光学系１６を構成するようにしても良い。
また、表示部１４が表示する画像は、どのようなものであっても良い。例えば、観察装置１０にチューナーを内蔵してテレビ表示を行うようにしても良いし、観察装置１０に無線機能を備えて画像情報を取得するようにしても良いし、メモリカードなどの記憶媒体を観察装置１０に着脱可能にしても良い。【００３６】
また、表示部１４は、小型液晶である場合を例に挙げて説明を行ったが、プラズマ表示器などどのような構成であっても良い。
《第２実施形態》
以下、図面を用いて本発明の第２実施形態について説明する。第２実施形態では、第１実施形態と異なる部分についてのみ説明を行い、第１実施形態と同様の部分については説明を省略する。また、第１実施形態の観察装置と同様の部材には第１実施形態と同じ符号を付けて説明を行う。【００３７】
第２実施形態の観察装置２０は、図４に示すように、第１実施形態の観察装置１０の光路切換部１５に換えて光路分割部２１を備えるとともに、表示部１４と光路分割部２１との間に表示レンズ２２を備える。光路分割部２１は、ハーフミラーである。
【００３８】
以上説明した構成の観察装置２０において、観察者は、接眼レンズ１２側から観察を行う場合には、対物レンズ１３と接眼レンズ１２との間に導かれた光束を利用して物体の中間像Ｉを観察し、対物レンズ１３側から観察を行う場合には、表示部１４と対物レンズ１３との間に導かれた光束を利用して表示部１４を観察することができる。
以上説明したように、第２実施形態によれば、接眼レンズと、対物レンズと、表示部とを備え、対物レンズによって形成された物体の中間像を、接眼レンズによって観察する観察装置において、対物レンズと接眼レンズとの間に光束を導くとともに、表示部と対物レンズとの間に光束を導く。そのため、対物レンズと接眼レンズとの間に導かれた光束を利用して観察装置を実現し、表示部と対物レンズとの間に導かれた光束を利用して、対物レンズを介して表示部を観察することにより表示装置を実現することができる。特に、第２実施形態によれば、観察装置が備える構造を応用して、表示機能を備えることができるので、表示機能を備えた小型の観察装置を実現可能である。【００３９】
また、第２実施形態によれば、光路分割部と表示部との間に表示レンズをさらに備えることにより、対物レンズを介して表示部を観察する際の視野を大きく取ることができる。
また、第２実施形態によれば、光路分割部２１としてハーフミラーを用いることにより、可動部分の無い、簡略化した構成とすることができる。
《第３実施形態》
以下、図面を用いて本発明の第３実施形態について説明する。第３実施形態では、第１実施形態と異なる部分についてのみ説明を行い、第１実施形態と同様の部分については説明を省略する。また、第１実施形態の観察装置と同様の部材には第１実施形態と同じ符号を付けて説明を行う。【００４０】
第３実施形態の観察装置３０は、図５に示すように、第１実施形態の観察装置１０の対物レンズ１３に換えて対物レンズ３１を備える。対物レンズ３１は、凸レンズ３２と内焦レンズ３３とで構成される。そして、対物レンズ３１のうち、内焦レンズ３３のみが、接眼レンズ１２と対物レンズ３１とを結ぶ光路に沿った方向に移動可能である。
【００４１】
以上説明した構成の観察装置３０において、観察者は、第１実施形態と同様に、不図示の操作部を介して、光路切換部１５に指示を出す。
そして、観察者は、第１実施形態と同様に、光路切換部１５により光路を切り換えて、それぞれの観察を行う。なお、表示部１４に対する焦点調節を行う場合、および観察対象の物体に対する焦点調節を行う場合には、第１実施形態とは異なり、対物レンズ３１の内焦レンズ３３のみを、接眼レンズ１２と対物レンズ１３とを結ぶ光路に沿った方向に移動する。そのため、焦点調節のためにレンズを移動させるのに必要な移動範囲を狭くすることができる。【００４２】
以上説明したように、第３実施形態によれば、対物レンズは複数枚のレンズにより構成され、一部のレンズは、接眼レンズと対物レンズとを結ぶ光路に沿った方向に移動可能である。そのため、第１実施形態の観察装置１０と同様の効果に加えて、さらなる小型化が期待できる。
《第４実施形態》
以下、図面を用いて本発明の第４実施形態について説明する。第４実施形態では、第１実施形態と異なる部分についてのみ説明を行い、第１実施形態と同様の部分については説明を省略する。また、第１実施形態の観察装置と同様の部材には第１実施形態と同じ符号を付けて説明を行う。【００４３】
第４実施形態の観察装置４０は、図６に示すように、第１実施形態の観察装置１０と同様の接眼レンズ１２、対物レンズ１３、光路切換部１５、正立光学系１６を左右それぞれに備えるとともに、左右共有の表示部４１、ハーフミラー４２、ミラー４３を備える。
表示部４１は、第１実施形態の観察装置１０の表示部１４と同様の構成である。ハーフミラー４２は、表示部４１に表示された画像を２分割し、左右それぞれの光路切換部１５を介して、左右それぞれの対物レンズ１３に導く。なお、観察装置４０は、左右それぞれの対物レンズ１３から表示部４１までの光路長を等しくするための光学素子（例えば、ダミーガラスなど）を備える。【００４４】
以上説明した構成の観察装置４０において、観察者は、第１実施形態と同様に、不図示の操作部を介して、光路切換部１５に指示を出す。
そして、観察者は、第１実施形態と同様に、左右それぞれの光路切換部１５により光路を切り換えて、それぞれの観察を行う。なお、表示装置として使用する場合、観察者は、左右両眼で、一つの表示部４１を同時に観察することになる。
【００４５】
なお、第１実施形態から第３実施形態で説明した観察装置と同様の構成を左右それぞれに備えるようにしても良い。
以上説明したように、第４実施形態によれば、第１実施形態から第３実施形態で説明した構成を左右それぞれに備える。そのため、双眼鏡など、左右両眼で同時に観察を行う観察装置にも本発明を適用することができる。【００４６】
また、第４実施形態によれば、表示部に表示された画像を左右それぞれの対物レンズに分割して導く分割光学系をさらに備える。そのため、左右両眼で同時に観察を行う観察装置に本発明を適用する際に、表示部を共有することができるので小型化が実現可能である。また、表示部を左右それぞれに備える場合に発生する２つの表示部の間の位置ずれや、２つの表示部における画像の品質などの相違を回避することが可能である。【００４７】
なお、第１実施形態から第４実施形態の観察装置の構成および機能を組み合わせて実施するようにしても良い。
以下、本発明の観察装置に眼疲労回復機能を備えた実施形態について図面を用いて説明する。観察装置を使用する際、観察者は、観察対象を長時間に渡って凝視することがある。このような場合、観察者の眼の毛様体筋が動かず、眼の疲労や視力の低下などの問題が懸念される。そこで、以下に説明する眼疲労回復機能を備えることにより、手軽に眼疲労を回復することができる。【００４８】
以下の各実施形態では、本発明の観察装置の一例として、双眼鏡を用いて説明を行う。以下の各実施形態において、双眼鏡は、遠方の物体を観察するためのモードと、眼疲労回復のためのモードとを備える。そして、観察者は、遠方の物体を観察するためのモードにおいては、後述する接眼レンズ側から観察を行い、眼疲労回復のためのモードにおいては、後述する対物レンズ側から観察を行う（詳細は後述する）。【００４９】
《第５実施形態》
第５実施形態の双眼鏡１０１は、遠方の物体を観察するための「双眼鏡モード」と、眼疲労回復のための「第１眼疲労回復モード」および「第２眼疲労回復モード」を有する。第１眼疲労回復モードは、双眼鏡による観察像を使用して眼疲労回復動作を行うモードであり、第２眼疲労回復モードは、眼疲労回復用の画像を使用して眼疲労回復動作を行うモードである。【００５０】
双眼鏡１０１は、図７の上面外観図に示すように、電源ボタン１０２、双眼鏡のピント合わせに用いるフォーカスノブ１０３、前述したモードの設定を行うモードボタン１０４、各モードにおける動作を開始するスタートボタン１０５、各種情報を表示するための情報表示部１０６を備える。情報表示部１０６は、モードボタン１０４により設定されるモードの種類などを表示する。【００５１】
また、双眼鏡１０１は、図８の内部構成図に示すように、左接眼レンズ１０７、右接眼レンズ１０８、左対物レンズ１０９、右対物レンズ１１０、ピント合わせに関わる左フォーカスレンズ１１１および右フォーカスレンズ１１２、前述したフォーカスノブ１０３と連動して左フォーカスレンズ１１１および右フォーカスレンズ１１２を移動するフォーカスレンズ移動部１１３、フォーカスレンズの移動量を検出する検出部１１４、倒立像を正立像にする左正立プリズム１１５および右正立プリズム１１６を備える。【００５２】
観察者がピント合わせを行うためにフォーカスノブ１０３を操作すると、フォーカスレンズ移動部１１３はこれに連動して移動し、左フォーカスレンズ１１１および右フォーカスレンズ１１２を移動する。
さらに、双眼鏡１０１は、図８の内部構成図および図８のＡＡ断面図である図９Ａに示すように、左右全く同一の構成である。また、双眼鏡１０１は、眼疲労回復用の画像を表示する左表示部１１７および右表示部１１８、左表示部用結像レンズ１１９、右表示部用結像レンズ１２０（不図示）を備えるとともに、左反射ミラー１２１および右反射ミラー１２２を備える。左表示部１１７および右表示部１１８は、小型液晶ディスプレイなどの表示器であり、左接眼レンズ１０７および右接眼レンズ１０８と左対物レンズ１０９および右対物レンズ１１０とを結ぶ光路から分岐された光路上に設けられる。【００５３】
また、左反射ミラー１２１および右反射ミラー１２２は、左接眼レンズ１０７および右接眼レンズ１０８と左対物レンズ１０９および右対物レンズ１１０とを結ぶ光路上で、かつ、左表示部１１７および右表示部１１８と左対物レンズ１０９および右対物レンズ１１０とを結ぶ光路上に設けられ、光路に導く光束を左右同時に切り換える光学素子である。左反射ミラー１２１および右反射ミラー１２２は、不図示のミラー駆動部により、左接眼レンズ１０７および右接眼レンズ１０８と左対物レンズ１０９および右対物レンズ１１０とを結ぶ光軸上に同時に出し入れ可能である。【００５４】
図８に示すように、左反射ミラー１２１および右反射ミラー１２２は同様の構成であるため、図９Ａから図９Ｃを用いて、左反射ミラー１２１について説明する。
左反射ミラー１２１は、不図示のミラー駆動部により、図９Ａに示すように、軸ａを中心に回転され、左接眼レンズ１０７と左対物レンズ１０９とを結ぶ光軸上に出し入れ可能である。図９Ｂに示すように、左反射ミラー１２１を左接眼レンズ１０７と左対物レンズ１０９とを結ぶ光軸上から退避させると、左対物レンズ１０９が左接眼レンズ１０７の光軸上に配置され、左対物レンズ１０９と左接眼レンズ１０７との間に光束が導かれることになる。このような配置は、双眼鏡モードおよび第１眼疲労回復モードの実行時に行われる。【００５５】
一方、図９Ｃに示すように、左反射ミラー１２１を左接眼レンズ１０７と左対物レンズ１０９とを結ぶ光軸上に挿入させると、左表示部１１７が左対物レンズ１０９の光軸上に配置され、左表示部１１７と左対物レンズ１０９との間に光束が導かれることになる。このような配置は、第２眼疲労回復モードの実行時に行われる。
なお、右反射ミラー１２２も、上述した左反射ミラー１２１同様の構成である。【００５６】
すなわち、左反射ミラー１２１および右反射ミラー１２２を移動することにより、左対物レンズ１０９および右対物レンズ１１０と左接眼レンズ１０７および右接眼レンズ１０８との間に光束を導くか、左表示部１１７および右表示部１１８と左対物レンズ１０９および右対物レンズ１１０との間に光束を導くかを切り換える。したがって、左反射ミラー１２１および右反射ミラー１２２を移動するだけで、各モードを簡単に切り換えることができる。【００５７】
さらに、双眼鏡１０１は、図８に示すように、左対物レンズ１０９および右対物レンズ１１０と左反射ミラー１２１および右反射ミラー１２２とを結ぶ光路上に設けられ、「第１眼疲労回復モード」および「第２眼疲労回復モード」において、観察者により観察される中間像の位置を観察者の眼の光軸方向と輻輳方向とに変更する位置変更部１４０を備える。位置変更部１４０は、左シフトレンズ１２３、右シフトレンズ１２４、左シフトレンズ１２３および右シフトレンズ１２４をそれぞれ保持する左保持部１２５および右保持部１２６を備える。また、左保持部１２５および右保持部１２６にそれぞれ接続される左カムピン１２７および右カムピン１２８、左カムピン１２７および右カムピン１２８にそれぞれ対応する左カム溝１２９および右カム溝１３０を備える。【００５８】
また、位置変更部１４０は、図８および図９に示すように、左保持部１２５および右保持部１２６を保持するシフトレンズ保持部１３１、シフトレンズ保持部１３１に接続され、シフトレンズ保持部１３１を駆動するシフトレンズ駆動部１３２、シフトレンズ保持部１３１の位置を検出するためのホール素子１３３Ａ〜１３３Ｃおよびマグネット１３４を備える。【００５９】
シフトレンズ駆動部１３２は、保持部３１を図８の矢印ａの方向に駆動する。保持部３１が図８の矢印ａの方向に駆動されると、左保持部１２５および右保持部１２６に接続された左カムピン１２７および右カムピン１２８が左カム溝１２９および右カム溝１３０に沿って図８矢印ｂおよびｃの方向に移動する。したがって、左シフトレンズ１２３および右シフトレンズ１２４が、図８矢印ｂおよびｃの方向に移動される。【００６０】
なお、左シフトレンズ１２３および右シフトレンズ１２４の位置は、ホール素子１３３Ａ〜１３３Ｃおよびマグネット１３４の位置関係に応じて検出される。図８において、左シフトレンズ１２３および右シフトレンズ１２４が実線で示されている位置を、左シフトレンズ１２３および右シフトレンズ１２４の「初期位置」と称し、その上下に破線で示されている位置を、左シフトレンズ１２３および右シフトレンズ１２４の「リミット位置」と称する。【００６１】
このように、左シフトレンズ１２３および右シフトレンズ１２４を移動することにより、「第１眼疲労回復モード」および「第２眼疲労回復モード」において、左対物レンズ１０９および右対物レンズ１１０側から観察者により観察される中間像の位置を、観察者の眼の光軸方向と輻輳方向とに移動することができる。
さらに、双眼鏡１０１は、図８に示すように、ホール素子１３３Ａ〜１３３Ｃの近傍に、制御部１３５を備える。図１０は、双眼鏡１０１の制御ブロック図である。制御部１３５は、図１０に示すように、電源ボタン１０２、モードボタン１０４、スタートボタン１０５などの操作部材の状態を検知するとともに、検出部１１４やホール素子１３３Ａ〜１３３Ｃの状態も検知する。また、制御部１３５は、左表示部１１７および右表示部１１８、左反射ミラー１２１および右反射ミラー１２２の不図示のミラー駆動部、シフトレンズ駆動部１３２を制御する。【００６２】
また、双眼鏡１０１は、図１１に示すように、左対物レンズ１０９および右対物レンズ１１０の近傍に、目当て部材１９０を備える。双眼鏡１０１は、第２眼疲労回復モードの実行時に、観察者が、左対物レンズ１０９および右対物レンズ１１０側から観察を行う際の使用感を高める目的で目当て部材１９０を備える。目当て部材１９０は、双眼鏡１０１から着脱可能であり、鼻に当たる部分に、鼻逃げ凹み部材１９１を備える。図１２Ａに、図１１のＢの方向から見た図を示す。目当て部材１９０のうち、左対物レンズ１０９および右対物レンズ１１０に対応する部分は、フレア防止形状として、階段状に構成される。このようなフレア防止形状により、余分な外光を防具ことができ、双眼鏡１０１により通常の観察を行う際に、フードとして使用することができる。【００６３】
鼻逃げ凹み部材１９１は、形状記憶可能である素材で構成され、観察者の鼻近傍の形状に沿う形に形成される。
このように、左対物レンズ１０９および右対物レンズ１１０の近傍に、目当て部材１９０を備えることにより、安定した使用感を観察者に与えることができるので、疲れにくいなどの効果が期待できる。また、フレア防止形状により、余分な外光を防ぐことができる。【００６４】
なお、目当て部材１９０は、本体と一体化した形状（着脱不可）であっても良いし、折りたたみ機構などによって、出し入れ可能であっても良い。
また、目当て部材１９０の素材は、ゴム、樹脂、プラスチックなど、どのようなものであっても良い。また、部位によってこれらの素材を組み合わせるようにしても良い。また、鼻逃げ凹み部材１９１と同様に形状記憶可能である素材であっても良い。【００６５】
また、目当て部材１９０は、眼鏡を掛けた観察者も使用可能にするために、眼鏡全体を覆うような形状であっても良い。また、左対物レンズ１０９および右対物レンズ１１０に対応する部分は、真円である例を示したが、横長の楕円や、左右一体型などどのような形状であっても良い。
また、鼻逃げ凹み部材１９１は、図１２Ｂに示すように、目当て部材１９０から着脱可能に構成しても良い。例えば、予め子供用、大人用等に合わせた寸法の部材を用意しておき、交換するようにしても良い。【００６７】
以上説明した構成の双眼鏡１０１において、電源ボタン１０２がＯＮされると制御部１３５はこれを検知し、モードボタン１０４によりモードが設定され、スタートボタン１０５が押圧されるまで待機する。なお、ここで設定されるモードとは、前述した「双眼鏡モード」、「第１眼疲労回復モード」、「第２眼疲労回復モード」の何れかである。
スタートボタン１０５が押圧されると、制御部５は、設定されたモードに応じて各部を以下のように制御する。【００６８】
（１）双眼鏡モード
双眼鏡モードが設定されると、制御部１３５は、まず、左シフトレンズ１２３および右シフトレンズ１２４を、「初期位置」に移動する。そして、左反射ミラー１２１および右反射ミラー１２２を図９Ｂで説明したように、左接眼レンズ１０７および右接眼レンズ１０８の光軸上から退避させて、左対物レンズ１０９および右対物レンズ１１０を左接眼レンズ１０７および右接眼レンズ１０８の光軸上に配置する。このように配置することにより、左対物レンズ１０９および右対物レンズ１１０と左接眼レンズ１０７および右接眼レンズ１０８との間に光束が導かれ、観察者は、左接眼レンズ１０７および右接眼レンズ１０８側から、遠方の物体を観察することができる。【００６９】
（２）第１眼疲労回復モード
第１眼疲労回復モードが設定されると、制御部１３５は、まず、左シフトレンズ１２３および右シフトレンズ１２４を、「初期位置」に移動する。そして、左反射ミラー１２１および右反射ミラー１２２を図９Ｂで説明したように、左接眼レンズ１０７および右接眼レンズ１０８の光軸上から退避させて、左対物レンズ１０９および右対物レンズ１１０を左接眼レンズ１０７および右接眼レンズ１０８の光軸上に配置する。このように配置することにより、左対物レンズ１０９および右対物レンズ１１０と左接眼レンズ１０７および右接眼レンズ１０８との間に光束が導かれる。【００７０】
そして、制御部１３５は、シフトレンズ駆動部１３２を介して、左シフトレンズ１２３および右シフトレンズ１２４を、「初期位置」を挟んだ両方の「リミット位置」まで往復移動させる。このように左シフトレンズ１２３および右シフトレンズ１２４を移動することにより、観察者により、左対物レンズ１０９および右対物レンズ１１０側から観察される中間像の位置を観察者の眼の光軸方向と輻輳方向とに変更する。そのため、観察者の眼の毛様体筋の運動を促すことができる。【００７１】
特に、第１眼疲労回復モードでは、左対物レンズ１０９および右対物レンズ１１０と左接眼レンズ１０７および右接眼レンズ１０８との間に光束が導かれるので、双眼鏡１０１による観察像を使用した眼疲労回復動作を行うことができる。したがって、観察者は、双眼鏡１０１の左対物レンズ１０９および右対物レンズ１１０側から、好みの外観を観察し、その観察像を使用して眼疲労を回復することができる。【００７２】
（３）第２眼疲労回復モード
第２疲労回復モードが設定されると、制御部１３５は、まず、左シフトレンズ１２３および右シフトレンズ１２４を、「初期位置」に移動する。そして、左反射ミラー１２１および右反射ミラー１２２を図９Ｃで説明したように、左接眼レンズ１０７および右接眼レンズ１０８の光軸上に挿入させて、左表示部１１７および右表示部１１８を左対物レンズ１０９および右対物レンズ１１０の光軸上に配置する。このように配置することにより、左表示部１１７および右表示部１１８と左対物レンズ１０９および右対物レンズ１１０との間に光束が導かれる。【００７３】
そして、制御部１３５は、左表示部１１７および右表示部１１８に眼疲労回復用の画像を表示する。眼疲労回復用の画像とは、観察者が認知しやすく、しかも視線の定まりやすい位置（中心付近）に、視標（観察者の視線を集める対象）となる絵柄（例えば、飛行機、自動車など、前後移動可能なものの絵図）を含む画像である。なお、このような画像は、予め制御部１３５内の不図示のメモリに記録されている。【００７４】
そして、制御部１３５は、シフトレンズ駆動部１３２を介して、左シフトレンズ１２３および右シフトレンズ１２４を、「初期位置」を挟んだ両方の「リミット位置」まで往復移動させる。このように左シフトレンズ１２３および右シフトレンズ１２４を移動することにより、観察者により、左対物レンズ１０９および右対物レンズ１１０側から観察される中間像の位置を観察者の眼の光軸方向と輻輳方向とに変更する。そのため、観察者の眼の毛様体筋の運動を促すことができる。【００７５】
特に、第２眼疲労回復モードでは、左表示部１１７および右表示部１１８と左対物レンズ１０９および右対物レンズ１１０との間に光束が導かれるので、眼疲労回復用の画像を使用した眼疲労回復動作を行うことができる。したがって、眼疲労回復に特化した画像を使用し、双眼鏡１０１の左対物レンズ１０９および右対物レンズ１１０側から眼疲労回復動作を行うことにより、眼疲労回復の効果が上がることが期待できる。【００７６】
以上説明したように、第５実施形態によれば、接眼レンズおよび対物レンズと、表示部とを備え、対物レンズと接眼レンズとの間に光束を導くか、表示部と対物レンズとの間に光束を導くかを切り換えるとともに、観察者により観察される中間像の位置を、観察者の眼の光軸方向と輻輳方向とに変更する。そのため、観察装置（双眼鏡）を使用する際に、手軽に眼疲労を回復することができる。特に、第５実施形態によれば、観察装置（双眼鏡）が一般的に備える構造を応用して、眼疲労回復動作を行うので、一般的な観察装置（双眼鏡）の大きさと略同等であり、手軽に眼疲労を回復することができる。【００７７】
また、第５実施形態によれば、対物レンズと接眼レンズとの間に光束を導く第１のモードと、対物レンズと接眼レンズとの間に光束を導きつつ中間像の位置を観察者の眼の光軸方向と輻輳方向とに変更する第２のモードと、表示部と対物レンズとの間に光束を導きつつ中間像の位置を観察者の眼の光軸方向と輻輳方向とに変更する第３のモードとの何れかを、観察者の操作に応じて設定し、実行する。そのため、第１のモードにより遠方の物体を観察する通常の観察装置（双眼鏡）として使用し、第２のモードおよび第３のモードにより眼疲労回復用の装置として使用することができる。特に第２のモードでは、双眼鏡１０１による観察像を使用した眼疲労回復動作を行うことができる。したがって、観察者は双眼鏡１０１の左対物レンズ１０９および右対物レンズ１１０側から、好みの外観を観察し、その観察像を使用して眼疲労を回復することができる。また、第３のモードでは、眼疲労回復に特化した画像を使用して眼疲労回復動作を行うことにより、眼疲労回復の効果が上がることが期待できる。【００７８】
なお、第５実施形態では、観察者により観察される中間像の位置を、観察者の眼の光軸方向と輻輳方向とに変更する例を示したが、光軸方向のみに変更しても良いし、輻輳方向のみに変更しても良い。
また、第５実施形態では、左シフトレンズ１２３および右シフトレンズ１２４を移動することにより、観察者により観察される中間像の位置を観察者の眼の光軸方向と輻輳方向とに変更する例を示したが、左シフトレンズ１２３および右シフトレンズ１２４の移動により、光軸方向の変更のみを行い、左表示部１１７および右表示部１１８を移動することにより輻輳方向の変更を行うようにしても良い。このとき、左シフトレンズ１２３および右シフトレンズ１２４の移動と、左表示部１１７および右表示部１１８の輻輳方向への移動は同期させるようにするのが好ましい。このように、左シフトレンズ１２３および右シフトレンズ１２４の移動により光軸方向の変更を行い、左表示部１１７および右表示部１１８の移動により輻輳方向の変更を行うことにより、位置変更部１４０の構成を簡単にすることができる。【００７９】
また、左シフトレンズ１２３および右シフトレンズ１２４を移動することにより、観察者により観察される中間像の位置を観察者の眼の光軸方向と輻輳方向とに変更し、さらに、左表示部１１７および右表示部１１８を移動することにより輻輳方向の変更量を増大させるようにしても良い。
また、第５実施形態では、左表示部１１７および右表示部１１８は、小型液晶ディスプレイなどの表示器である例を示したが、スライドフィルムを入れたホルダ１４１およびバックライト１４２に置き換えても良い。例えば、図１３に示すように、ホルダ１４１を双眼鏡１０１に対して着脱可能にしても良い。このような構成にすることにより、電源を節約することができ、また、観察者は好みのスライドフィルムを使用して眼疲労回復動作を行うことができる。【００８０】
さらに、第５実施形態では、左反射ミラー１２１および右反射ミラー１２２を用いて、左対物レンズ１０９および右対物レンズ１１０と左接眼レンズ１０７および右接眼レンズ１０８との間に光束を導くか、左表示部１１７および右表示部１１８と左対物レンズ１０９および右対物レンズ１１０との間に光束を導くかを切り換える例を示したが、以下のような構成にしても良い。【００８１】
例えば、左反射ミラー１２１および右反射ミラー１２２の位置にハーフミラーを備えるとともに、左右の接眼レンズの外側または内側にシャッタを備える。そして、左対物レンズ１０９および右対物レンズ１１０と左接眼レンズ１０７および右接眼レンズ１０８との間に光束を導く場合には、シャッタを開放するとともに、左表示部１１７および右表示部１１８の表示を中止する。一方、左表示部１１７および右表示部１１８と左対物レンズ１０９および右対物レンズ１１０との間に光束を導く場合には、シャッタを閉鎖するとともに、左表示部１１７および右表示部１１８の表示を開始する。【００８２】
また、別の構成として、例えば、左反射ミラー１２１および右反射ミラー１２２の位置に、ＥＬ（Ｅｌｅｃｔｒｉｃ  Ｌｕｍｉｎａｎｃｅ）や透過型液晶などの透過タイプの表示器を備え、シャッタと組み合わせるようにしても良い。
【００８３】
また、第５実施形態では、双眼鏡１０１を用いて説明を行ったが、接眼レンズおよび対物レンズを一つずつ備える望遠鏡に適用しても良い。望遠鏡では、観察者は片方の眼で観察を行うので、観察者により観察される中間像の位置を、輻輳方向へは変更せず、光軸方向のみに変更するようにすれば良い。
《第６実施形態》
以下、図面を用いて本発明の第６実施形態について説明する。第６実施形態では、第５実施形態と異なる部分についてのみ説明を行い、第５実施形態と同様の部分については説明を省略する。【００８４】
第６実施形態の双眼鏡１５０は、第５実施形態と同様の「第１眼疲労回復モード」と「第２眼疲労回復モード」とにおいて、観察者により観察される中間像の位置を、観察者の眼の光軸方向のみに変更する。また、双眼鏡１５０は、左右の接眼レンズの間隔（眼幅）を調整可能である。
図１４は、双眼鏡１５０を左側方から見た内部構成図である。なお、第５実施形態の双眼鏡１０１と同様の部材には第５実施形態と同じ符号を付けて説明を行う。図１４に示すように、双眼鏡１５０は、第５実施形態における左対物レンズ１０９、左フォーカスレンズ１１１および左シフトレンズ１２３を兼用した、左兼用レンズ１５１を備える。左兼用レンズ１５１は、図１４中の矢印ｄの方向に移動可能であり、この左兼用レンズ１５１の位置を移動することにより、双眼鏡１５０のピント合わせ（焦点調節）と、「第１眼疲労回復モード」および「第２眼疲労回復モード」においてレンズ５１側から観察者により観察される象の位置の変更とを行うことができる。なお、中間像の位置の変更を行う際には、焦点調節を行う際よりも広い範囲で、左兼用レンズ１５１を移動する。それぞれの移動範囲は重複しても良いし、分離しても良い。【００８５】
さらに、双眼鏡１５０は、図１４中の軸ｅを中心として、矢印ｆに示す方向に回転可能なミラー１５２と左表示部１１７とを備え、このミラー１５２を駆動することにより、左兼用レンズ１５１と左接眼レンズ１０７との間に光束を導くか、左表示部１１７と左兼用レンズ１５１との間に光束を導くかを切り換えることができる。
なお、以上説明した構成は、双眼鏡１５０の右側についても同様である。そして、双眼鏡１５０は、第５実施形態の双眼鏡１０１と同様に、設定されたモードに応じて各動作を行う。【００８６】
以上説明したように、第６実施形態によれば、接眼レンズと対物レンズとを結ぶ光路上に、その光路に沿った方向に移動可能なレンズを備え、そのレンズの位置を移動させることにより、観察装置（双眼鏡）の焦点調節と、対物レンズ側から観察者により観察される中間像の位置の観察者の眼の光軸方向への変更とを行う。したがって、対物レンズと、対物レンズ側から観察者により観察される中間像の位置を変更するシフトレンズと、双眼鏡１５０の焦点調節を行うフォーカスレンズとを兼用させたので、第５実施形態の双眼鏡１０１と同様の効果に加えて、構成の簡略化を実現することができる。
【００８７】
また、第６実施形態の双眼鏡１５０は、図１４に示したように、双眼鏡１５０の観察状態において、接眼レンズと表示部とを上下方向に配置することにより、スペースを有効利用することができる。また、このような構成にすることにより、観察装置（双眼鏡）の左右方向の大きさを、一般的な観察装置（双眼鏡）と同じにすることができるので、使い勝手を劣化させることもない。【００８８】
なお、第６実施形態では、左兼用レンズ１５１に、左対物レンズ１０９、左フォーカスレンズ１１１および左シフトレンズ１２３の機能を兼用させる例を示したが、左対物レンズ１０９を別に備えるようにしても良い。
また、第６実施形態では、双眼鏡１５０を用いて説明を行ったが、接眼レンズおよび対物レンズを一つずつ備える望遠鏡に適用しても良い。【００８９】
《第７実施形態》
以下、図面を用いて本発明の第７実施形態について説明する。
第７実施形態の双眼鏡１６０は、「双眼鏡モード」と、眼疲労回復のための「眼疲労回復モード」とを有する。眼疲労回復モードは、眼疲労回復用の画像を使用して眼疲労回復動作を行うモードである。【００９０】
双眼鏡１６０は、図１５の内部構成図に示すように、左接眼レンズ１６７、右接眼レンズ１６８、左対物レンズ１６９、右対物レンズ１７０、ピント合わせに関わる左フォーカスレンズ１７１および右フォーカスレンズ１７２、左フォーカスレンズ１７１および右フォーカスレンズ１７２を移動するフォーカスレンズ移動部１７３、フォーカスレンズの移動量を検出する検出部１７４、倒立像を正立像にする左正立プリズム１７５および右正立プリズム１７６を備える。【００９１】
さらに、双眼鏡１６０は、第５実施形態の双眼鏡１０１と同様に、眼疲労回復用の画像を表示する左表示部１７７および右表示部１７８、不図示の左表示部用結像レンズおよび右表示部用結像レンズを備えるとともに、左反射ミラー１７９および右反射ミラー１８０を備える。左表示部１７７および右表示部１７８は、小型液晶ディスプレイなどの表示器であり、左接眼レンズ１６７および右接眼レンズ１６８と左対物レンズ１６９および右対物レンズ１７０とを結ぶ光路から分岐された光路上に設けられる。【００９２】
また、左反射ミラー１７９および右反射ミラー１８０は、左接眼レンズ１６７および右接眼レンズ１６８と左対物レンズ１６９および右対物レンズ１７０とを結ぶ光路上で、かつ、左対物レンズ１６９および右対物レンズ１７０と左表示部１７７および右表示部１７８とを結ぶ光路上に設けられ、左対物レンズ１６９および右対物レンズ１７０と左接眼レンズ１６７および右接眼レンズ１６８との間に光束を導くか、左表示部１７７および右表示部１７８と左対物レンズ１６９および右対物レンズ１７０との間に光束を導くかを切り換える光学素子である。左反射ミラー１７９および右反射ミラー１８０の動作については、第５実施形態の双眼鏡１０１の左反射ミラー１２１および右反射ミラー１２２と同様であるため、図示および説明を省略する。【００９３】
すなわち、左反射ミラー１７９および右反射ミラー１８０を移動することにより、左対物レンズ１６９および右対物レンズ１７０と左接眼レンズ１６７および右接眼レンズ１６８との間に光束を導くか、左表示部１７７および右表示部１７８と左対物レンズ１６９および右対物レンズ１７０との間に光束を導くかを切り換える。したがって、左反射ミラー１７９および右反射ミラー１８０を移動するだけで、各モードを簡単に切り換えることができる。【００９４】
また、第７実施形態の双眼鏡１６０は、制御部１８１を備える。制御部１８１は、検出部１７４の状態も検知するとともに、左表示部１７７および右表示部１７８、左反射ミラー１７９および右反射ミラー１８０の不図示のミラー駆動部を制御する。
第７実施形態の双眼鏡１６０は、第５実施形態の双眼鏡１０１と異なり、観察者により観察される中間像の位置を変更させるための移動機構を持たない。その代わりに、第７実施形態では、左表示部１７７および右表示部１７８が表示する眼疲労回復用の画像に含まれる視標の位置を変更させる（詳細は後述する）。眼疲労回復用の画像とは、観察者が認知しやすく、しかも視線の定まりやすい位置（中心付近）に、視標となる絵柄（例えば、飛行機、自動車など、前後移動可能なものの絵図）を含む画像である。このような画像は、制御部１８１内の不図示のメモリに予め記録されている。
【００９６】
以上説明した構成の双眼鏡１６０において、不図示の電源ボタンがＯＮされると制御部１８１はこれを検知し、不図示のモードボタンによりモードが設定され、不図示のスタートボタンが押圧されるまで待機する。なお、ここで設定されるモードとは、前述した「双眼鏡モード」、「眼疲労回復モード」の何れかである。
不図示のスタートボタンが押圧されると、制御部１８１は、設定されたモードに応じて各部を以下のように制御する。【００９７】
（１）双眼鏡モード
双眼鏡モードが設定されると、制御部１８１は、第５実施形態と同様に、左反射ミラー１７９および右反射ミラー１８０を図９Ｂで説明したように、左接眼レンズ１６７および右接眼レンズ１６８の光軸上から退避させて、左対物レンズ１６９および右対物レンズ１７０を左接眼レンズ１６７および右接眼レンズ１６８の光軸上に配置する。このように配置することにより、左対物レンズ１６９および右対物レンズ１７０と左接眼レンズ１６７および右接眼レンズ１６８との間に光束が導かれ、観察者は、左接眼レンズ１６７および右接眼レンズ１６８側から、遠方の物体を観察することができる。【００９８】
（２）眼疲労回復モード
眼疲労回復モードが設定されると、制御部１８１は、左反射ミラー１７９および右反射ミラー１８０を図９Ｃで説明したように、左接眼レンズ１６７および右接眼レンズ１６８の光軸上に挿入させて、左表示部１７７および右表示部１７８を左接眼レンズ１６７および右接眼レンズ１６８の光軸上に配置する。このように配置することにより、左表示部１７７および右表示部１７８と左対物レンズ１６９および右対物レンズ１７０との間に光束が導かれる。【００９９】
そして、制御部１８１は、左表示部１７７および右表示部１７８に眼疲労回復用の画像を表示する。眼疲労回復用の画像とは、観察者が認知しやすく、しかも視線の定まりやすい位置（中心付近）に、視標（観察者の視線を集める対象）となる絵柄（例えば、飛行機、自動車など、前後移動可能なものの絵図）を含む画像である。なお、このような画像は、予め制御部１８１内の不図示のメモリに記録されている。【０１００】
そして、制御部１８１は、眼疲労回復用の画像における視標の位置を、観察者の眼の輻輳方向に変更させる。このように視標の位置を変更させることにより、観察者の眼の毛様体筋の運動を促すことができる。
以上説明したように、第７実施形態によれば、接眼レンズおよび対物レンズと、形と明るさと色との少なくとも一つが特異な絵柄を含む画像を表示する表示部とを備え、対物レンズと接眼レンズとの間に光束を導くか、表示部と対物レンズとの間に光束を導くかを切り換えるとともに、表示部が表示する画像における絵柄の位置と特徴との少なくとも一方を変更させる。そのため、観察装置（双眼鏡）を使用する際に、手軽に眼疲労を回復することができる。特に、第７実施形態によれば、観察装置（双眼鏡）が一般的に備える構造を応用して、眼疲労回復動作を行うので、一般的な観察装置（双眼鏡）の大きさと略同様の大きさであり、手軽に眼疲労を回復することができる。【０１０１】
なお、第７実施形態では、左表示部１７７および右表示部１７８が表示する画像における視標の位置を変更させることにより、観察者の眼を輻輳方向に運動させて眼疲労回復を促す例を示したが、視標の大きさを変更させるようにしても良い。視標の大きさを変更させることにより、観察者により観察される中間像の位置を光軸方向に変更する場合（第５実施形態参照）と同様の効果を得ることができる。また、視標の位置と大きさとの両方を変更させるようにしても良いし、さらに視標の形や明るさなどを変更させるようにしても良い。
【０１０２】
また、第７実施形態では、双眼鏡１６０を用いて説明を行ったが、接眼レンズおよび対物レンズを一つずつ備える望遠鏡に適用しても良い。
なお、第５実施形態から第７実施形態において、眼疲労回復動作用の画像は、制御部に記録されている例を示したが、何種類かの画像を予め用意しておき、観察者に選択させるようにしても良い。【０１０３】
以下、図面を用いて常に接眼レンズ側から観察を行う実施形態について説明する。以降の各実施形態において、双眼鏡は、遠方の物体を観察するためのモードと、眼疲労回復のためのモードとを備える。そして、観察者は、遠方の物体を観察するためのモードおよび眼疲労回復のためのモードにおいて、後述する接眼レンズ側から観察を行う（詳細は後述する）。【０１０４】
《第８実施形態》
以下、図面を用いて本発明の第８実施形態について説明する。
本実施形態の双眼鏡２０１は、遠方の物体を観察するための「双眼鏡モード」と、眼疲労回復のための「第１眼疲労回復モード」および「第２眼疲労回復モード」を有する。第１眼疲労回復モードは、双眼鏡による観察像を使用して眼疲労回復動作を行うモードであり、第２眼疲労回復モードは、眼疲労回復用の画像を使用して眼疲労回復動作を行うモードである。【０１０５】
第８実施形態の双眼鏡２０１の外観は、第５実施形態の双眼鏡１０１と同様であるため、図示および説明を省略する。
また、双眼鏡２０１は、図１６の内部構成図に示すように、第５実施形態の双眼鏡１０１と同様の構成の左接眼レンズ２０７、右接眼レンズ２０８、左対物レンズ２０９、右対物レンズ２１０、左フォーカスレンズ２１１および右フォーカスレンズ２１２、フォーカスレンズ移動部２１３、検出部２１４、左正立プリズム２１５および右正立プリズム２１６を備える。【０１０６】
さらに、双眼鏡２０１は、図１６の内部構成図および図１６のＡＡ断面図である図１７Ａに示すように、左右全く同一の構成である。また、双眼鏡２０１は、第５実施形態の双眼鏡１０１と同様の構成の左表示部２１７および右表示部２１８、左表示部用結像レンズ２１９、右表示部用結像レンズ２２０（不図示）を備える。また、双眼鏡２０１は、第５実施形態の双眼鏡１０１と反対の構成の左反射ミラー２２１および右反射ミラー２２２を備える。左表示部２１７および右表示部２１８は、小型液晶ディスプレイなどの表示器であり、左接眼レンズ２０７および右接眼レンズ２０８と左対物レンズ２０９および右対物レンズ２１０とを結ぶ光路から分岐された光路上に設けられる。【０１０７】
また、左反射ミラー２２１および右反射ミラー２２２は、左接眼レンズ２０７および右接眼レンズ２０８と左対物レンズ２０９および右対物レンズ２１０とを結ぶ光路上で、かつ、この光路と左表示部２１７および右表示部２１８と左接眼レンズ２０７および右接眼レンズ２０８とを結ぶ光路とが交差する位置に設けられ、光路に導く光束を左右同時に切り換える光学素子である。左反射ミラー２２１および右反射ミラー２２２は、不図示のミラー駆動部により、左接眼レンズ２０７および右接眼レンズ２０８と左対物レンズ２０９および右対物レンズ２１０とを結ぶ光路上に同時に出し入れ可能である。【０１０８】
図１６に示すように、左反射ミラー２２１および右反射ミラー２２２は同様の構成であるため、図１７Ａから図１７Ｃを用いて、左反射ミラー２２１について説明する。
左反射ミラー２２１は、不図示のミラー駆動部により、図１７Ａに示すように、軸ａを中心に回転され、左接眼レンズ２０７と左対物レンズ２０９とを結ぶ光路上に出し入れ可能である。図１７Ｂに示すように、左反射ミラー２２１を左接眼レンズ２０７と左対物レンズ２０９とを結ぶ光路上から退避させると、左接眼レンズ２０７を通る光の光路上に左対物レンズ２０９が配置され、左対物レンズ２０９と左接眼レンズ２０７との間に光束が導かれることになる。このような配置は、双眼鏡モードおよび第１眼疲労回復モードの実行時に行われる。【０１０９】
一方、図１７Ｃに示すように、左反射ミラー２２１を左接眼レンズ２０７と左対物レンズ２０９とを結ぶ光路上に挿入させると、左表示部２１７が左接眼レンズ２０７の光軸上配置され、左表示部２１７と接眼レンズ２０７との間に光束が導かれることになる。このような配置は、第２眼疲労回復モードの実行時に行われる。
なお、右反射ミラー２２２も、上述した左反射ミラー２２１同様の構成である。【０１１０】
すなわち、左反射ミラー２２１および右反射ミラー２２２を移動することにより、左対物レンズ２０９および右対物レンズ２１０と左接眼レンズ２０７および右接眼レンズ２０８との間に光束を導くか、左表示部２１７および右表示部２１８と左接眼レンズ２０７および右接眼レンズ２０８との間に光束を導くかを切り換える。したがって、左反射ミラー２２１および右反射ミラー２２２を移動するだけで、各モードを簡単に切り換えることができる。【０１１１】
さらに、双眼鏡２０１は、図１６に示すように、位置変更部２４０を備える。位置変更部２４０は、第５実施形態の双眼鏡１０１と同様の構成の左シフトレンズ２２３、右シフトレンズ２２４、左保持部２２５、右保持部２２６、左カムピン２２７、右カムピン２２８を備えるとともに、第５実施形態の双眼鏡１０１と反対の構成の左カム溝２２９および右カム溝２３０を備える。【０１１２】
また、位置変更部２４０は、図１６および図１７に示すように、第５実施形態の双眼鏡１０１と同様の構成のシフトレンズ保持部２３１、シフトレンズ駆動部２３２、ホール素子２３３Ａ〜２３３Ｃ、マグネット２３４を備える。
シフトレンズ駆動部２３２は、シフトレンズ保持部２３１を図１６の矢印ａの方向に駆動する。シフトレンズ保持部２３１が図１６の矢印ａの方向に駆動されると、左保持部２２５および右保持部２２６に接続された左カムピン２２７および右カムピン２２８が左カム溝２２９および右カム溝２３０に沿って図１６矢印ｂおよびｃの方向に移動する。したがって、左シフトレンズ２２３および右シフトレンズ２２４が、図１６矢印ｂおよびｃの方向に移動される。【０１１３】
なお、左シフトレンズ２２３および右シフトレンズ２２４の位置は、ホール素子２３３Ａ〜２３３Ｃおよびマグネット２３４の位置関係に応じて検出される。図１６において、左シフトレンズ２２３および右シフトレンズ２２４が実線で示されている位置を、左シフトレンズ２２３および右シフトレンズ２２４の「初期位置」と称し、その上下に破線で示されている位置を、左シフトレンズ２２３および右シフトレンズ２２４の「リミット位置」と称する。【０１１４】
このように、左シフトレンズ２２３および右シフトレンズ２２４を移動することにより、「第１眼疲労回復モード」および「第２眼疲労回復モード」において、左接眼レンズ２０７および右接眼レンズ２０８側から観察者により観察される中間像の位置を、観察者の眼の光軸方向と輻輳方向とに移動することができる。
さらに、双眼鏡２０１は、図１６に示すように、ホール素子２３３Ａ〜２３３Ｃの近傍に、制御部２３５を備える。制御部２３５による各種制御は、第５実施形態と同様であるため、制御ブロック図の図示および説明を省略する。【０１１６】
以上説明した構成の双眼鏡２０１において、不図示の電源ボタンがＯＮされると、第５実施形態の双眼鏡１０１と同様に、制御部２３５はこれを検知し、モードが設定された後に、不図示のスタートボタンが押圧されると、設定されたモードに応じて各部を以下のように制御する。
（１）双眼鏡モード
双眼鏡モードが設定されると、制御部２３５は、まず、左シフトレンズ２２３および右シフトレンズ２２４を、「初期位置」に移動する。そして、図１７Ｂで説明したように、左接眼レンズ２０７および右接眼レンズ２０８の光軸上から、左反射ミラー２２１および右反射ミラー２２２を退避させて、左対物レンズ２０９および右対物レンズ２１０を左接眼レンズ２０７および右接眼レンズ２０８の光軸上に配置する。このように配置することにより、左対物レンズ２０９および右対物レンズ２１０と左接眼レンズ２０７および右接眼レンズ２０８との間に光束が導かれ、観察者は、左接眼レンズ２０７および右接眼レンズ２０８側から、遠方の物体を観察することができる。
（２）第１眼疲労回復モード
第１眼疲労回復モードが設定されると、制御部２３５は、まず、左シフトレンズ２２３および右シフトレンズ２２４を、「初期位置」に移動する。そして、図１７Ｂで説明したように、左接眼レンズ２０７および右接眼レンズ２０８の光軸上から、左反射ミラー２２１および右反射ミラー２２２を退避させて、左接眼レンズ２０７および右接眼レンズ２０８の光軸上に左対物レンズ２０９および右対物レンズ２１０を配置する。このように配置することにより、左対物レンズ２０９および右対物レンズ２１０と左接眼レンズ２０７および右接眼レンズ２０８との間に光束が導かれる。【０１１７】
そして、制御部２３５は、シフトレンズ駆動部２３２を介して、左シフトレンズ２２３および右シフトレンズ２２４を、「初期位置」を挟んだ両方の「リミット位置」まで往復移動させる。このように左シフトレンズ２２３および右シフトレンズ２２４を移動することにより、観察者により、左接眼レンズ２０７および右接眼レンズ２０８側から観察される中間像の位置を観察者の眼の光軸方向と輻輳方向とに変更する。そのため、観察者の眼の毛様体筋の運動を促すことができる。【０１１８】
特に、第１眼疲労回復モードでは、左対物レンズ２０９および右対物レンズ２１０と左接眼レンズ２０７および右接眼レンズ２０８との間に光束が導かれるので、双眼鏡２０１による観察像を使用した眼疲労回復動作を行うことができる。したがって、観察者は、双眼鏡２０１の左接眼レンズ２０７および右接眼レンズ２０８側から、好みの観察物を観察し、その観察像を使用して眼疲労を回復することができる。
（３）第２眼疲労回復モード
第２疲労回復モードが設定されると、制御部２３５は、まず、左シフトレンズ２２３および右シフトレンズ２２４を、「初期位置」に移動する。そして、図１７Ｃで説明したように、左接眼レンズ２０７および右接眼レンズ２０８の光軸上に左反射ミラー２２１および右反射ミラー２２２を挿入させて、左接眼レンズ２０７および右接眼レンズ２０８の光軸上に左表示部２１７および右表示部２１８を配置する。このように配置することにより、左表示部２１７および右表示部２１８と左接眼レンズ２０７および右接眼レンズ２０８との間に光束が導かれる。【０１１９】
そして、制御部２３５は、左表示部２１７および右表示部２１８に第５実施形態と同様の眼疲労回復用の画像を表示する。
そして、制御部２３５は、シフトレンズ駆動部２３２を介して、左シフトレンズ２２３および右シフトレンズ２２４を、「初期位置」を挟んだ両方の「リミット位置」まで往復移動させる。このように左シフトレンズ２２３および右シフトレンズ２２４を移動することにより、観察者により、左接眼レンズ２０７および右接眼レンズ２０８側から観察される中間像の位置を観察者の眼の光軸方向と輻輳方向とに変更する。そのため、観察者の眼の毛様体筋の運動を促すことができる。【０１２０】
特に、第２眼疲労回復モードでは、左表示部２１７および右表示部２１８と左接眼レンズ２０７および右接眼レンズ２０８との間に光束が導かれるので、眼疲労回復用の画像を使用した眼疲労回復動作を行うことができる。したがって、眼疲労回復に特化した画像を使用し、双眼鏡２０１の左接眼レンズ２０７および右接眼レンズ２０８側から眼疲労回復動作を行うことにより、眼疲労回復の効果が上がることが期待できる。【０１２１】
以上説明したように、第８実施形態によれば、接眼レンズおよび対物レンズと、表示部とを備え、対物レンズと接眼レンズとの間に光束を導くか、表示部と接眼レンズとの間に光束を導くかを切り換えるとともに、観察者により観察される中間像の位置を、観察者の眼の光軸方向と輻輳方向とに変更する。そのため、観察装置（双眼鏡）を使用する際に、手軽に眼疲労を回復することができる。特に、第８実施形態によれば、観察装置（双眼鏡）が一般的に備える構造を応用して、眼疲労回復動作を行うので、一般的な観察装置（双眼鏡）の大きさと略同等であり、手軽に眼疲労を回復することができる。【０１２２】
また、第８実施形態によれば、対物レンズと接眼レンズとの間に光束を導く第１のモードと、対物レンズと接眼レンズとの間に光束を導きつつ中間像の位置を観察者の眼の光軸方向と輻輳方向とに変更する第２のモードと、表示部と接眼レンズとの間に光束を導きつつ中間像の位置を観察者の眼の光軸方向と輻輳方向とに変更する第３のモードとの何れかを、観察者の操作に応じて設定し、実行する。そのため、第１のモードにより遠方の物体を観察する通常の観察装置（双眼鏡）として使用し、第２のモードおよび第３のモードにより眼疲労回復用の装置として使用することができる。特に第２のモードでは、双眼鏡２０１による観察像を使用した眼疲労回復動作を行うことができる。したがって、観察者は双眼鏡２０１の左接眼レンズ２０７および右接眼レンズ２０８側から、好みの外観を観察し、その観察像を使用して眼疲労を回復することができる。また、第３のモードでは、眼疲労回復に特化した画像を使用して眼疲労回復動作を行うことにより、眼疲労回復の効果が上がることが期待できる。【０１２３】
なお、第８実施形態では、観察者により観察される中間像の位置を、観察者の眼の光軸方向と輻輳方向とに変更する例を示したが、光軸方向のみに変更しても良いし、輻輳方向のみに変更しても良い。
また、第８実施形態では、左シフトレンズ２２３および右シフトレンズ２２４を移動することにより、観察者により観察される中間像の位置を観察者の眼の光軸方向と輻輳方向とに変更する例を示したが、左シフトレンズ２２３および右シフトレンズ２２４の移動により、光軸方向の変更のみを行い、左表示部２１７および右表示部２１８を移動することにより輻輳方向の変更を行うようにしても良い。このとき、左シフトレンズ２２３および右シフトレンズ２２４の移動と、左表示部２１７および右表示部２１８の輻輳方向への移動は同期させるようにするのが好ましい。このように、左シフトレンズ２２３および右シフトレンズ２２４の移動により光軸方向の変更を行い、左表示部２１７および右表示部２１８の移動により輻輳方向の変更を行うことにより、位置変更部２４０の構成を簡単にすることができる。【０１２４】
また、左シフトレンズ２２３および右シフトレンズ２２４を移動することにより、観察者により観察される中間像の位置を観察者の眼の光軸方向と輻輳方向とに変更し、さらに、左表示部２１７および右表示部２１８を移動することにより輻輳方向の変更量を増大させるようにしても良い。
また、第８実施形態では、左表示部２１７および右表示部２１８は、小型液晶ディスプレイなどの表示器である例を示したが、第５実施形態で図１３を用いて説明したのと同様に、スライドフィルムを入れたホルダおよびバックライトなどに置き換えても良い。このような構成にすることにより、電源を節約することができ、また、観察者は好みのスライドフィルムを使用して眼疲労回復動作を行うことができる。【０１２５】
さらに、第８実施形態では、左反射ミラー２２１および右反射ミラー２２２として全反射ミラーを用いる例を示したが、第５実施形態で説明したものと同様に、ハーフミラーおよびシャッタを備えるようにしても良いし、左表示部２１７および右表示部２１８にとしてＥＬ（Ｅｌｅｃｔｒｉｃ  Ｌｕｍｉｎａｎｃｅ）や透過型液晶などの透過タイプの表示器を備え、シャッタと組み合わせるようにしても良い。
【０１２６】
また、第８実施形態では、双眼鏡２０１を用いて説明を行ったが、接眼レンズおよび対物レンズを一つずつ備える望遠鏡に適用しても良い。望遠鏡では、観察者は片方の眼で観察を行うので、観察者により観察される中間像の位置を、輻輳方向へは変更せず、光軸方向のみに変更するようにすれば良い。
また、第８実施形態では、第１眼疲労回復モードおよび第２眼疲労回復モードの２つの眼疲労回復モードを備える例を示したが、どちらか一方の眼疲労回復モードのみ備えるようにしても良い。例えば、第１眼疲労回復モードのみを備える場合には、左表示部２１７および右表示部２１８、左反射ミラー２２１および右反射ミラー２２２は不用である。【０１２７】
《第９実施形態》
以下、図面を用いて本発明の第９実施形態について説明する。第９実施形態では、第８実施形態と異なる部分についてのみ説明を行い、第８実施形態と同様の部分については説明を省略する。
第９実施形態の双眼鏡２５０は、第８実施形態と同様の「第１眼疲労回復モード」と「第２眼疲労回復モード」とにおいて、観察者により観察される中間像の位置を、観察者の眼の光軸方向のみに変更する。【０１２８】
図１８は、双眼鏡２５０の内部構成図である。なお、第８実施形態の双眼鏡２０１と同様の部材には第８実施形態と同じ符号を付けて説明を行う。図１８に示すように、双眼鏡２５０は、第８実施形態の双眼鏡２０１の左フォーカスレンズ２１１、右フォーカスレンズ２１２、フォーカスレンズ移動部２１３、検出部２１４が省略され、さらに、左シフトレンズ２２３および右シフトレンズ２２４に代えて左兼用レンズ２５１および右兼用レンズ２５２を備える。また、双眼鏡２５０は、第８実施形態の双眼鏡２０１の左カム溝２２９および右カム溝２３０に代えて、左カム溝２５３および右カム溝２５４を備える。その他の構成は、第８実施形態の双眼鏡２０１と同様である。【０１２９】
左カム溝２５３および右カム溝２５４は、第８実施形態の双眼鏡２０１の左カム溝２２９および右カム溝２３０と異なり、左接眼レンズ２０７および右接眼レンズ２０８と左対物レンズ２０９および右対物レンズ２１０とを結ぶ光路に沿っている（カム溝と光路とは平行）。したがって、左兼用レンズ２５１および右兼用レンズ２５２は、この両兼用レンズの光軸方向（図１８中の矢印ａの方向）に移動することになる。【０１３０】
また、左兼用レンズ２５１および右兼用レンズ２５２は、「双眼鏡モード」における焦点調節にも用いられる。すなわち、左兼用レンズ２５１および右兼用レンズ２５２を移動することにより、双眼鏡２５０使用時のピント合わせ（焦点調節）と、「第１眼疲労回復モード」および「第２眼疲労回復モード」において、左接眼レンズ２０７および右接眼レンズ２０８側から観察者により観察される中間像の位置の変更とを行うことができる。なお、中間像の位置の変更を行う際には、焦点調節を行う際よりも広い範囲で、左兼用レンズ２５１および右兼用レンズ２５２を移動する。それぞれの移動範囲は重複しても良いし、分離しても良い。【０１３１】
また、第８実施形態の双眼鏡２０１と同様の構成である左反射ミラー２２１および右反射ミラー２２２を駆動することにより、左対物レンズ２０９および右対物レンズ２１０と左兼用レンズ２５１および右兼用レンズ２５２との間に光束を導くか、または、左表示部２１７および右表示部２１８と左兼用レンズ２５１および右兼用レンズ２５２との間に光束を導くかを切り換えることができる。【０１３２】
以上説明した構成の双眼鏡２５０は、第８実施形態の双眼鏡２０１と同様に、設定されたモードに応じて各動作を行う。
【０１３３】
以上説明したように、第９実施形態によれば、接眼レンズと対物レンズとを結ぶ光路上に、その光路に沿った方向に移動可能なレンズを備え、そのレンズの位置を移動させることにより、観察装置（双眼鏡）の焦点調節と、接眼レンズ側から観察者により観察される中間像の位置の観察者の眼の光軸方向への変更とを行う。したがって、接眼レンズ側から観察者により観察される中間像の位置を変更するシフトレンズと、双眼鏡２５０の焦点調節を行うフォーカスレンズとを兼用させたので、第８実施形態の双眼鏡２０１と同様の効果に加えて、構成の簡略化を実現することができる。【０１３４】
なお、第９実施形態では、左兼用レンズ２５１および右兼用レンズ２５２に、シフトレンズおよびフォーカスレンズの機能を兼用させる例を示したが、さらに、左接眼レンズ２０７および右接眼２０８を兼用するようにしても良い。
また、第９実施形態では、双眼鏡２５０を用いて説明を行ったが、接眼レンズおよび対物レンズを一つずつ備える望遠鏡に適用しても良い。【０１３５】
さらに、第９実施形態の双眼鏡２５０において、不図示のメモリボタンと、ホール素子２３３Ａ〜２３３Ｃにより検出される左兼用レンズ２５１および右兼用レンズ２５２の位置を記憶する不図示の記憶部とを備え、以下のような動作を行っても良い。
【０１３６】
双眼鏡モードにおいて、観察者が焦点調節を行う際に、観察者により不図示のメモリボタンが操作された場合、制御部２３５は、焦点調節が行われた際の左兼用レンズ２５１および右兼用レンズ２５２の位置を、ホール素子２３３Ａ〜２３３Ｃを介して検出し、不図示の記憶部に記憶する。
一方、第１眼疲労回復モードおよび第２眼疲労回復モードにおいて、観察者が疲労回復モード用の焦点調節を行う際に、観察者により不図示のメモリボタンが操作された場合、制御部２３５は、左兼用レンズ２５１および右兼用レンズ２５２の位置を、ホール素子２３３Ａ〜２３３Ｃを介して検出し、不図示の記憶部に記憶する。【０１３７】
そして、２回目以降に観察者が双眼鏡２５０を使用する場合、モードやメニューが設定され、不図示のスタートボタンが押圧されると、制御部２３５は、まず、不図示の記憶部に各モードにおいて焦点調節が行われた際の左兼用レンズ２５１および右兼用レンズ２５２の位置が記憶されているか否かを判定する。そして、左兼用レンズ２５１および右兼用レンズ２５２の位置が記憶されている場合、不図示の記憶部から記憶されている位置を読み出し、左兼用レンズ２５１および右兼用レンズ２５２をその位置に移動する。すなわち、観察者は、双眼鏡モードおよび眼疲労回復モードにおいて一度焦点調節を行い、左兼用レンズ２５１および右兼用レンズ２５２の位置を双眼鏡２５０に記憶し、記憶した情報を用いれば、以降の使用の際には焦点調節を行う手間を省くことができる。【０１３８】
なお、左兼用レンズ２５１および右兼用レンズ２５２の位置を記憶する際には、日時や使用者の識別情報などを併せて記憶するのが好ましい。また、複数のデータが記憶されている場合には、モードボタンなどを介して、読み出すデータを選択可能にすれば良い。さらに、焦点調節が行われた際の左兼用レンズ２５１および右兼用レンズ２５２の位置が記憶されているかの判定を自動で行うのではなく、観察者により指示があった場合にのみ行うようにしても良い。【０１３９】
眼疲労回復モードでは、左兼用レンズ２５１および右兼用レンズ２５２の位置を大きく移動するので、双眼鏡モードでの焦点位置が大きく変わってしまう。そのため、眼疲労回復モードから双眼鏡モードに切り換え、焦点調節を行おうとしたとき、左兼用レンズ２５１および右兼用レンズ２５２の位置を大きく移動しなければならず、操作が煩雑になることが考えられる。しかし、上述したように、双眼鏡使用時に焦点調節を行った際および眼疲労回復動作を行った際の兼用レンズの位置を記憶し、記憶された兼用レンズの位置の読み出し指示を受け付けると、記憶部から兼用レンズの位置を読み出し、読み出した位置に兼用レンズを移動させることにより、煩雑な操作を行う必要がなくなり、操作性が向上する。【０１４０】
《第１０実施形態》
以下、図面を用いて本発明の第１０実施形態について説明する。
第１０実施形態の双眼鏡２６０は、「双眼鏡モード」と、眼疲労回復のための「眼疲労回復モード」とを有する。眼疲労回復モードは、眼疲労回復用の画像を使用して眼疲労回復動作を行うモードである。【０１４１】
双眼鏡２６０は、図１９の内部構成図に示すように、左接眼レンズ２６７、右接眼レンズ２６８、左対物レンズ２６９、右対物レンズ２７０、ピント合わせに関わる左フォーカスレンズ２７１および右フォーカスレンズ２７２、左フォーカスレンズ２７１および右フォーカスレンズ２７２を移動するフォーカスレンズ移動部２７３、フォーカスレンズの移動量を検出する検出部２７４、倒立像を正立像にする左正立プリズム２７５および右正立プリズム２７６を備える。【０１４２】
さらに、双眼鏡２６０は、第８実施形態の双眼鏡２０１と同様の構成の左表示部２７７、右表示部２７８、不図示の左表示部用結像レンズおよび右表示部用結像レンズ、左反射ミラー２７９、右反射ミラー２８０を備える。左表示部２７７および右表示部２７８は、左接眼レンズ２６７および右接眼レンズ２６８と左対物レンズ２６９および右対物レンズ２７０とを結ぶ光路から分岐された光路上に設けられる。【０１４３】
また、左反射ミラー２７９および右反射ミラー２８０は、左接眼レンズ２６７および右接眼レンズ２６８と左対物レンズ２６９および右対物レンズ２７０とを結ぶ光路上で、かつ、左接眼レンズ２６７および右接眼レンズ２６８と左表示部２７７および右表示部２７８とを結ぶ光路上に設けられ、左対物レンズ２６９および右対物レンズ２７０と左接眼レンズ２６７および右接眼レンズ２６８との間に光束を導くか、左表示部２７７および右表示部２７８と左接眼レンズ２６７および右接眼レンズ２６８との間に光束を導くかを切り換える光学素子である。左反射ミラー２７９および右反射ミラー２８０の動作については、第８実施形態の双眼鏡２０１の左反射ミラー２２１および右反射ミラー２２２と同様であるため、図示および説明を省略する。【０１４４】
すなわち、左反射ミラー２７９および右反射ミラー２８０を移動することにより、左対物レンズ２６９および右対物レンズ２７０と左接眼レンズ２６７および右接眼レンズ２６８との間に光束を導くか、左表示部２７７および右表示部２７８と左接眼レンズ２６７および右接眼レンズ２６８との間に光束を導くかを切り換える。したがって、左反射ミラー２７９および右反射ミラー２８０を移動するだけで、各モードを簡単に切り換えることができる。【０１４５】
また、第１０実施形態の双眼鏡２６０は、制御部２８１を備える。制御部２８１は、検出部２７４の状態も検知するとともに、左表示部２７７および右表示部２７８、左反射ミラー２７９および右反射ミラー２８０の不図示のミラー駆動部を制御する。
第１０実施形態の双眼鏡２６０は、第８実施形態の双眼鏡２０１と異なり、観察者により観察される中間像の位置を変更させるための移動機構を持たない。その代わりに、第１０実施形態では、第７実施形態の双眼鏡１６０と同様に、左表示部２７７および右表示部２７８が表示する眼疲労回復用の画像に含まれる視標の位置を変更させる。【０１４７】
以上説明した構成の双眼鏡２６０において、不図示の電源ボタンがＯＮされると制御部２８１はこれを検知し、不図示のモードボタンによりモードが設定され、不図示のスタートボタンが押圧されるまで待機する。なお、ここで設定されるモードとは、前述した「双眼鏡モード」、「眼疲労回復モード」の何れかである。
不図示のスタートボタンが押圧されると、制御部２８１は、設定されたモードに応じて各部を以下のように制御する。
（１）双眼鏡モード
双眼鏡モードが設定されると、制御部２８１は、第８実施形態と同様に、図１７Ｂで説明したように、左接眼レンズ２６７および右接眼レンズ２６８を通る光の光路上から左反射ミラー２７９および右反射ミラー２８０を退避させて、左接眼レンズ２６７および右接眼レンズ２６８の光軸上に左対物レンズ２６９および右対物レンズ２７０を配置する。このように配置することにより、左対物レンズ２６９および右対物レンズ２７０と左接眼レンズ２６７および右接眼レンズ２６８との間に光束が導かれ、観察者は、左接眼レンズ２６７および右接眼レンズ２６８側から、遠方の物体を観察することができる。
（２）眼疲労回復モード
眼疲労回復モードが設定されると、制御部２８１は、図１７Ｃで説明したように、左接眼レンズ２６７および右接眼レンズ２６８を通る光の光路上に左反射ミラー２７９および右反射ミラー２８０を挿入させて、左表示部２７７および右表示部２７８を左接眼レンズ２６７および右接眼レンズ２６８の光軸上に配置する。このように配置することにより、左表示部２７７および右表示部２７８と左接眼レンズ２６７および右接眼レンズ２６８との間に光束が導かれる。【０１４８】
そして、制御部２８１は、第７実施形態の双眼鏡１６０と同様に、左表示部２７７および右表示部２７８に眼疲労回復用の画像を表示する。次に、制御部２８１は、眼疲労回復用の画像における視標の位置を、観察者の眼の輻輳方向に変更させる。このように視標の位置を変更させることにより、観察者の眼の毛様体筋の運動を促すことができる。
以上説明したように、第１０実施形態によれば、接眼レンズおよび対物レンズと、形と明るさと色との少なくとも一つが特異な絵柄を含む画像を表示する表示部とを備え、対物レンズと接眼レンズとの間に光束を導くか、表示部と接眼レンズとの間に光束を導くかを切り換えるとともに、表示部が表示する画像における絵柄の位置と特徴との少なくとも一方を変更させる。そのため、観察装置（双眼鏡）を使用する際に、手軽に眼疲労を回復することができる。特に、第１０実施形態によれば、観察装置（双眼鏡）が一般的に備える構造を応用して、眼疲労回復動作を行うので、一般的な観察装置（双眼鏡）の大きさと略同様の大きさであり、手軽に眼疲労を回復することができる。【０１４９】
なお、第１０実施形態では、左表示部２７７および右表示部２７８が表示する画像における視標の位置を変更させることにより、観察者の眼を輻輳方向に運動させて眼疲労回復を促す例を示したが、視標の大きさを変更させるようにしても良い。視標の大きさを変更させることにより、観察者により観察される中間像の位置を光軸方向に変更する場合（第８実施形態参照）と同様の効果を得ることができる。また、視標の位置と大きさとの両方を変更させるようにしても良いし、さらに視標の形や明るさなどを変更させるようにしても良い。
【０１５０】
また、第１０実施形態では、双眼鏡２６０を用いて説明を行ったが、接眼レンズおよび対物レンズを一つずつ備える望遠鏡に適用しても良い。
なお、第８実施形態から第１０実施形態において、眼疲労回復動作用の画像は、制御部に記録されている例を示したが、何種類かの画像を予め用意しておき、観察者に選択させるようにしても良い。【０１５１】
以上、第１実施形態から第１０実施形態で説明した双眼鏡における各技術を、観察装置の構成に応じて、適宜組み合わせたり入れ替えたりするようにしても良い。
【図１】
0004643568.tif 000002
【図２】
0004643568.tif 000003
【図３】
0004643568.tif 000004
【図４】
0004643568.tif 000005
【図５】
0004643568.tif 000006
【図６】
0004643568.tif 000007
【図７】
0004643568.tif 000008
【図８】
0004643568.tif 000009
【図９】
0004643568.tif 000010
【図１０】
0004643568.tif 000011
【図１１】
0004643568.tif 000012
【図１２】
0004643568.tif 000013
【図１３】
0004643568.tif 000014
【図１４】
0004643568.tif 000015
【図１５】
0004643568.tif 000016
【図１６】
0004643568.tif 000017
【図１７】
0004643568.tif 000018
【図１８】
0004643568.tif 000019
【図１９】
0004643568.tif 000020